(57)【要約】【課題】ペングリップとパームグリップとのどちらでも安定して持つことができる口腔掃除具の提供。【解決手段】把手部２が４箇の凹部５乃至８と５個の凸部９乃至１３とを交互に配置した凹凸形状であって、ペングリップで持つときは、１番目の凹部５が第２指と第３指とで挟まれ、３番目の凹部７が第２指の手の平の側の付け根部の上に載せられ、２番目の凹部６の２番目の凸部１０の側が第１指でネック部３の側に押すことにより、人の手が把手部２を鉛筆を持つように握って持つように構成され、パームグリップで持つときは、ネック部３の側から数えて１番目の凹部５が人の手の第２指２２で握られ、２番目の凹部６が第３指で握られ、３番目の凹部７が人の手の第４指で握られ、４番目の凹部８が第５指で握られ、１番目の凹部５の１番目の凸部９の側を第１指で第２指の側に押すことにより、人の手が把手部２を手のひらで握るように持つように構成されている。【選択図】図１
2017029428.tif 000002
【特許請求の範囲】
【請求項１】
把手部とネック部とヘッド部とが直線棒状に連続した構造の口腔掃除具であって、把手部がペングリップとパームグリップとのどちらでも握れるように長手方向に対して円形又は楕円形な断面形状で連続的に直径が繰返して変化し４箇の凹部と少なくとも４個の凸部とを交互に配置した凹凸形状に構成されたことを特徴とする口腔掃除具。
【請求項２】
４箇所の凹部の中で、ネック部の側から数えて２番目の凹部の全周が最も太く、４番目の凹部の全周が最も細くなったことを特徴とする請求項１記載の口腔掃除具。
【請求項３】
ヘッド部が軟質の材料からなる円形又は楕円形な断面形状で長手方向に柱状に構成されたことを特徴とする請求項１記載の口腔掃除具。
【請求項４】
ヘッド部には円形又は楕円形な断面形状でヘッド部の長手方向に対して連続的に直径を繰返して変化する螺旋状の凹凸部が設けられたことを特徴とする請求項３記載の口腔掃除具。
【発明の詳細な説明】
【技術分野】
【０００１】
本発明は、鉛筆を持つように握って持つペングリップと手のひらで握るように持つパームグリップとのどちらでも安定して持つことができる口腔掃除具に関する。歯ブラシの持ち方で、推奨されるのがペングリップです。鉛筆を持つように歯ブラシを持つことで余計な力が入りにくく、小回りが利いて動かしやすいので、毛の先で歯の隅々まで丁寧に磨くことができるからです。片まひの方や握力の低下している方には、歯ブラシを手のひら全体でしっかり握るパームグリップが適している。
【背景技術】
【０００２】
図７を参照し、特許文献１で開示された口腔掃除具について説明する。図７に示した口腔掃除具３１は、ブラシ３２を備えたヘッド部３３とネック部３４と柄部３５とベルト部３６と備え、ベルト部３６がネック部３４と柄部３５の後端部とに掛け渡され、ベルト部３６と柄部３５とで囲まれた空間部３７に人の手の第２指乃至第５指４２乃至４５を入れて柄部３５を握り、人の手の第１指４１をベルト部３６の外側からネック部３４に添えるように、つまり、人の手で柄部３５をパームグリップで持つようになっている。柄部３５は、直状の棒状体であって、円形な断面形状で長手方向に対して連続的に直径が繰返して変化する多段の瓢箪形状になっており、柔軟性を有する合成樹脂、例えばシリコーン樹脂やポリウレタン樹脂等で柄部の表面を被覆している。
【０００３】
しかしながら、図７に示した口腔掃除具３１では、ベルト部３６が邪魔になり、ペングリップで柄部３５を持つには不向きである。
【先行技術文献】
【特許文献】
【０００４】
【特許文献１】特許第４７３２５４５号公報
【発明の概要】
【発明が解決しようとする課題】
【０００５】
本発明は、上記背景技術に鑑みてなされたものであり、ペングリップとパームグリップとのどちらでも安定して持つことができる口腔掃除具を提供することを目的とする。
【課題を解決するための手段】
【０００６】
本発明は、把手部とネック部とヘッド部とが直線棒状に連続した構造の口腔掃除具であって、把手部がペングリップとパームグリップとのどちらでも握れるように長手方向に対して円形又は楕円形な断面形状で連続的に直径が繰返して変化し４箇の凹部と少なくとも４個の凸部とを交互に配置した凹凸形状に構成されたことを特徴とする。
【発明の効果】
【０００７】
本発明は、把手部がペングリップとパームグリップとのどちらでも握れるように長手方向に対して円形又は楕円形な断面形状で連続的に直径が繰返して変化し４箇の凹部と少なくとも４個の凸部とを交互に配置した凹凸形状に構成されたので、ペングリップとパームグリップとのどちらでも安定して持つことができる。本発明において、４箇所の凹部の中で、ネック部の側から数えて２番目の凹部の全周が最も太く、４番目の凹部の全周が最も細くなっていれば、人がパームグリップで把手部を持った際の指の長さに応じて凹部の全周が変わることにより、パームグリップで把手部を安定して持つことができる。本発明において、ヘッド部が軟質の材料からなる円形又は楕円形な断面形状で長手方向に柱状に構成されれば、介護者が口腔掃除具１を手でもって被介護者に対して使用する場合に、被介護者の口腔部に正確に当たっているか分かり難い状況にあり、平板状のものは面に対し垂直に当てないと効果が期待できないが、円柱状であれば向きを気にすることなく効果が期待でき、作業性が向上する。本発明において、軟質の材料からなる円形又は楕円形な断面形状で長手方向に柱状に構成されたヘッド部には、円形又は楕円形な断面形状でヘッド部の長手方向に対して連続的に直径が繰返して変化する螺旋状の凹凸部が設けられれば、凹凸部の凸部が人の口腔部の汚れをかき出し、凹凸部の凹部に汚れが溜まり、凹部に溜まった汚れが螺旋状の凹部に沿って移動することで、清掃やマッサージの効力が高い。
【図面の簡単な説明】
【０００８】
【図１】発明を実施するための形態１に係る口腔掃除具を示した側面図。
【図２】発明を実施するための形態１に係る口腔掃除具を示した斜視図。
【図３】発明を実施するための形態１に係る口腔掃除具をペングリップで握る途中の状態を示した斜視図。
【図４】発明を実施するための形態１に係る口腔掃除具をペングリップで握った状態を示した斜視図。
【図５】発明を実施するための形態１に係る口腔掃除具をパームグリップで握る途中の状態を示した斜視図。
【図６】発明を実施するための形態１に係る口腔掃除具をパームグリップで握った状態を示した斜視図。
【図７】特許文献１の口腔掃除具をパームグリップで握った状態を示した斜視図。
【発明を実施するための形態】
【０００９】
図１及び図２を参照し、発明を実施するための形態１に係る口腔掃除具１について説明する。図１に示した口腔掃除具１は、把手部２とネック部３とヘッド部４とが直線棒状に連続した構造であって、把手部２が円形又は楕円形な断面形状で長手方向に対して連続的に直径を繰返して変化する多段の凹凸形状になっている。把手部２の長手方向は、ネック部３の側と把手部２の終端部の側との方向である。具体的には、把手部２の凹凸形状は、凹部５，６，７，８が長手方向に亘って４箇設けられ、凸部９，１０，１１，１２，１３が長手方向に亘って５箇設けられた形状になっている。尚、ネック部３の側から数えて５番目の凸部１３は無くても良いが、図示のように５番目の凸部１３が存在することで、把持部２の終端部に指が抜け難くい。把手部２は、例えばポリプロピレン等、ヘッド部４のエラストマー材料と溶着でき、熱湯消毒が可能なこと、及び曲げても折れにくい材料により構成される。
【００１０】
４箇所の凹部５乃至８の中で、ネック部３の側から数えて１番目の凹部５及び２番目の凹部６の全周が最も太く、４番目の凹部８の全周が最も細く、３番目の凹部７の全周が１番目及び２番目の凹部６と４番目の凹部８と間の太さになっている。このように人がパームグリップで把手部２を持った際の指の長さに応じて凹部５乃至８の全周が変わることにより、パームグリップで把手部２を安定して持つことができる。又、凹部５は凹部５のネック部３の側と終端部の側とに位置する凸部９，１０に繋がる円弧になっており、凹部６は凹部６のネック部３の側と終端部の側とに位置する凸部１０，１１に繋がる円弧になっており、凹部７は凹部７のネック部３の側と終端部の側とに位置する凸部１１，１２に繋がる円弧になっており、凹部８は凹部８のネック部３の側と終端部の側とに位置する凸部１２，１３に繋がる円弧になっている。
【００１１】
５箇所の凸部９乃至１３の中で、ネック部３の側から数えて２番目の凸部１０の全周が最も太く、次に、１番目の凸部９の全周、３番目凸部１１の全周、４番目の凸部１２の全周、５番目の凸部１３の全周の順に細くなっている。又、ネック部３の全周は凹部５乃至８よりも細くなっている。１番目乃至５番目の凸部９乃至１３の径は上記に限定されるものではなく、例えば、１番目乃至５番目の凸部９乃至１３の径が同じでもよい。しかしながら、上記のように２番目の凸部１０の全周が最も太く、次に、１番目の凸部９の全周、３番目凸部１１の全周、４番目の凸部１２の全周、５番目の凸部１３の全周の順に細くなっていれば、パームグリップの場合で考えると、凹部５乃至８だけでなく凸部９乃至１２の部分も握るようになるため、パームグリップで握り易くなる。
【００１２】
ヘッド部４は、軟質の材料からなる円形又は楕円形な断面形状で長手方向に柱状に構成されたことで、介護者が口腔掃除具１を手でもって被介護者に対して使用する場合には、被介護者の口腔部に正確に当たっているか分かり難い状況にあり、平板状のものは面に対し垂直に当てないと効果が期待できないが、円形又は楕円形な断面形状で長手方向に柱状構成されれば向きを気にすることなく効果が期待でき、作業性が向上する。
【００１３】
又、ヘッド部４には、円形又は楕円形な断面形状でヘッド部４の長手方向に対して連続的に直径を繰返して変化する螺旋状の凹凸部１５が設けられたことで、凹凸部１５の凸部１６が人の口腔部の汚れをかき出し、凹凸部１５の凹部１７に汚れが溜まり、凹部１７に溜まった汚れが螺旋状の凹部１７に沿って移動することで、清掃やマッサージの効力が高い。又、ヘッド部４の軟質の材質は、ＪＩＳ  Ｋ６２５３−１のタイプＡのデュロメータで測定した硬度１５乃至３０程度のエラストマーで構成することが考えられる。
【００１４】
図３及び図４を参照し、発明を実施するための形態１に係る口腔掃除具１をペングリップで持つときについて説明する。図３に示したように、ネック部３の側から数えて１番目の凹部５が人の手の第２指２２と第３指２３とで挟まれ、３番目の凹部６が第２指２２の手の平の側の付け根部の上に載せられ、図４に示したように、２番目の凹部６の２番目の凸部１０（図１参照）の側が人の手の第１指２１でネック部３の側に押すように付けられることにより、人の手が把手部２を鉛筆を持つように握って持つようになっている。
【００１５】
図５及び図６を参照し、発明を実施するための形態１に係る口腔掃除具１をパームグリップで持つときについて説明する。図５に示したように、ネック部３の側から数えて１番目の凹部５が人の手の第２指２２で握られ、２番目の凹部６が人の手の第３指２３で握られ、３番目の凹部７が人の手の第４指２４で握られ、４番目の凹部８が人の手の第５指２５で握られ、図６に示したように、１番目の凹部５の１番目の凸部９（図１参照）の側を人の手の第１指２１で第２指２３の側に押すように付けられるがことにより、人の手が把手部２を手のひらで握るように持つようになっている。
【符号の説明】
【００１６】
１    口腔掃除具
２    把手部
３    ネック部
４    ヘッド部
５    １番目の凹部
６    ２番目の凹部
７    ３番目の凹部
８    ４番目の凹部
９    １番目の凸部
１０  ２番目の凸部
１１  ３番目の凸部
１２  ４番目の凸部
１３  ５番目の凸部
１５  凹凸部
１６  凸部
１７  凹部
２１  第１指
２２  第２指
２３  第３指
２４  第４指
２５  第５指
【図１】
2017029428.tif 000003
【図２】
2017029428.tif 000004
【図３】
2017029428.tif 000005
【図４】
2017029428.tif 000006
【図５】
2017029428.tif 000007
【図６】
2017029428.tif 000008
【図７】
2017029428.tif 000009